(57)【要約】【課題】通信機等の屋外設置型筐体の開閉扉において、シリンダ錠による開閉扉の閉め付けおよび施錠において、パッキンの反力等をシリンダ錠内部に伝達することなく信頼性と操作性を兼ね備える施錠構造。【解決手段】開閉扉１１には、通信機等の屋外設置型筐体１０としての機能を果たすためにゴム等の弾性を有する素材を用いた防水用のパッキン１３が設けられている。その弾性力は、開閉扉１１が閉じている状態において、常にアームプレート２とロックプレート１５の間および、開閉扉１１の回転支点となる蝶番１２部に反力１４として作用している。この反力１４をシリンダ錠１内部に伝達させない手段として外力受け止め部位２０をシリンダ錠１が取り付いている開閉扉１１と一体構造として設ける。【選択図】    図１
2004211434.tif 000002
【特許請求の範囲】
【請求項１】
開閉扉の縁部近傍に設けられ、キーの差込み回転動作に連動して回転し前記開閉扉の縁部から先端部をせり出すアームプレートと、
筐体側の、前記アームプレートの先端部がせり出した際、該アームプレート先端部の開閉扉開放方向の一面と当接する位置に形成されるロックプレートとを有してなり、前記アームプレートの先端部と前記ロックプレートとが当接／当接解除することで施錠／解錠状態となるシリンダ錠構造において、
前記開閉扉に形成され、該扉を閉じた際に前記アームプレート先端部の扉開放方向とは逆の面と当接し、前記ロックプレートとの当接により前記アームプレートにかかる負荷を相殺させる反作用を生じせしめる外力受けプレートを備えてなることを特徴とする、シリンダ錠の回転軸ずれ防止施錠構造。
【請求項２】
前記ガイドプレート及び前記外力受けプレートに、前記アームプレートのせり出し方向に行くに従い、該アームプレートと当接する側に徐々に狭まる誘導ガイド面を形成したことを特徴とする、請求項１に記載のシリンダ錠の回転軸ずれ防止施錠機構。
【請求項３】
前記ガイドプレート先端部の表裏面に、前記ガイドプレート及び前記外力受けプレートと点接触する突起部を形成したことを特徴とする、請求項１または２に記載のシリンダ錠前の回転軸ずれ防止施錠機構。
【請求項４】
前記ガイドプレート及び前記外力プレートに摩擦力低減用の転動コロを形成したことを特徴とする、請求項１または２に記載の回転軸ずれ防止施錠機構。
【発明の詳細な説明】
【０００１】
【発明の属する技術分野】
本発明は、シリンダ錠による施錠構造に関し、特に通信機など、屋外に設置する筐体の開閉扉部分の施錠構造に関する。
【０００２】
【従来の技術】
図５は、従来技術における通信機等の屋外設置型筐体における開閉扉部分の施錠構造の一例を示す概略図である。以下この図面を用いて従来の施錠構造につき簡潔に説明する。
【０００３】
図５（ａ）に示されるように、筐体１０に蝶番１２で開閉可能に係止されている開閉扉１１が、シリンダ錠１によって施錠されている。この状態において、図５（ｂ）に示すように開閉扉１１にはパッキン１３の弾性による反力１４が作用しているが、シリンダ錠１の構成部品であるアームプレート２と筐体１０に一体形成されたロックプレート１５が干渉することで開閉扉１４の開放を抑制している。つまり反力１４は、アームプレート２を介してシリンダ錠１の内部まで伝達されている。
【０００４】
【発明が解決しようとする課題】
従来のシリンダ錠構造においては、ロータ４を回転させるためにハウジング３とロータ４との間に隙間が設けられている。このためパッキン１３の弾性による反力等の外力がアームプレート２に継続的にかけられる場合、その隙間内でロータ４が傾き、回転軸がずれてしまうためキー挿入がスムーズに行えなくなる。また反力１４が過大にかかると傾きはより大きくなり、ハウジング３とロータ４間で２点以上の接触部分を生じさせてしまう。こうなると開錠時に大きな負荷がこの接触部分にかかることになるので非常に開けにくくなり、無理に開けようとすると最悪の場合シリンダ錠１本体を破損させてしまいかねないという課題を有していた。
【０００５】
図５（ｃ）は、筐体１０の開閉扉１１を閉じた状態における従来のシリンダ錠構造を示す図である。この図から、反力１４がシリンダ錠１の内部のハウジング４に回転軸ずれを起こさせているために、正規キー５を正常に挿入しにくくなっていること、そしてシリンダ錠１の内部破損を招く要因となるハウジング３とロータ４間での接触が２点で発生していることがわかる。
【０００６】
本発明の目的は、パッキンの弾性による反力等の外力が負荷されて施錠する構造においてもシリンダ錠本体の破壊を防止するとともに、キーの回転操作力を損なわないよう信頼性と操作性を向上させたシリンダ錠の施錠構造を提供することにある。
【特許文献１】
特開２００１−２６２８７５号公報
【特許文献２】
特開２０００−２２０３２９号公報
【０００７】
【課題を解決するための手段】
以上の課題を鑑み、本発明のシリンダ錠の回転軸ずれ防止施錠構造は、  開閉扉の縁部近傍に設けられ、キーの差込み回転動作に連動して回転し前記開閉扉の縁部から先端部をせり出すアームプレートと、筐体側の、前記アームプレートの先端部がせり出した際、該アームプレート先端部の開閉扉開放方向の一面と当接する位置に形成されるロックプレートとを有してなり、前記アームプレートの先端部と前記ロックプレートとが当接／当接解除することで施錠／解錠状態となるシリンダ錠構造において、前記開閉扉に形成され、該扉を閉じた際に前記アームプレート先端部の扉開放方向とは逆の面と当接し、前記ロックプレートとの当接により前記アームプレートにかかる負荷を相殺する反作用を生じせしめる外力受けプレートを備えてなることを特徴としている。
【０００８】
また、本発明のシリンダ錠の回転軸ずれ防止施錠機構の別の構成例としては、上記の構成に加えて前記ガイドプレート及び前記外力受けプレートに、前記アームプレートのせり出し方向に行くに従い、該アームプレートと当接する側に徐々に狭まる誘導ガイド面を形成したことを特徴としている。
【０００９】
【発明の実施の形態】
次に、本発明の実施の形態について図面を参照して詳細に説明する。
【００１０】
図１に示すように、本発明の実施の形態は通信機等の屋外設置型筐体１０の防水を要する開閉扉１１部分において、一辺を蝶番１２等の回転支点を有する部材で固定し、その対向する一辺にシリンダ錠１を設けて、筐体１０側に形成したロックプレート１５とシリンダ錠１側に形成したアームプレート２の引っ掛けにより開閉扉１１の閉めつけおよび施錠を行う構造である。
【００１１】
開閉扉１１には、筐体１０として必要とされる気密性を保つため、さらには開閉扉１１を閉じる際の衝撃を吸収するために、ゴム等の弾性を有する素材を用いた防水用のパッキン１３が設けられている。その弾性力は、開閉扉１１が閉じている状態において、常にアームプレート２とロックプレート１５の間および、開閉扉１１の回転支点となる蝶番１２部に反力１４として与えられている。
【００１２】
この反力１４をシリンダ錠１内部に伝達させない手段として、外力受け止め部位２０を、シリンダ錠１が取り付いている開閉扉１１と一体構造で形成する。  続いて図１（ｂ）を参照し、外力受け止め部位２０の構造について説明する。外力受け止め部位２０は、開閉扉１１施錠時に上記の反力１４を受けるため、無負荷状態のアームプレート２の下部に近似する位置に配される。すなわち、ロックプレート１５と外力受け止め部位２０の間隔は、アームプレート２の厚さと同等、またはシリンダ錠１の構成部品であるハウジング３の内径とロータ４の外径の差（ロータ回転に有する隙間）によりロータ４が傾き（回転軸ずれ）を生じた場合でも、ロータ４とハウジング３の間にシリンダ錠１を破壊に至らせるほどの干渉を起こさせない範囲に隙間を抑えることが重要である。この数値は、選択するシリンダ錠１により寸法の固体差が存在するため、具体的数値として提示することは困難であるが、０〜０．２ｍｍの範囲であれば大抵のシリンダ錠１に適合が可能であり、本発明の効果が期待できる。
【００１３】
さらに、ロックプレート１５を板ばね等の弾性を有した素材で構成することにより、施錠前のロックプレート１５と外力受け止め部位２０の間隔が、アームプレート２の厚さより小さい寸法で良くなるということは言うまでもない。この場合板ばねのばね定数は、パッキン等の反力１４を受けた場合においても、開閉扉１０の防水性を損なわないパッキン潰し代を十分に確保できる値を設定することが条件となる。
【００１４】
加えてアームプレート２には、施錠状態においてロックプレート１５との接触部と外力受け止め部位２０との接触部に距離がある場合、せん断方向に荷重の負荷が作用する。そこで、そのせん断力に十分耐えうる材質、形状を選択することが必須である。当然、外力受け止め部位２０にも上述した荷重の負荷に対して変形を生じないような材質、形状の強度が要求される。
【００１５】
ロックプレート１５および外力受け止め部位２０に、アームプレート２が施錠状態の最適位置まで回転する間のガイドとなる勾配１６を設けることも本発明の特徴である。また、アームプレート２上の、ロックプレート１５との接触面および外力受け止め部位２０の接触面に、それぞれ半球状の突起２１を設ける。この突起２１の頂点をアームプレート２と外力受け止め部位２０それぞれと接触部とすることで、極めて点接触に近い状態にすることができ、接触摩擦抵抗を軽減できる。
【００１６】
この突起はアームプレート２の素材から一体に成形することは勿論のこと、別部材を取り付けることでも機能に変化はない。むしろ樹脂（例えばポリアセタール等）を用いることによって効果を大きくすることが可能となる。どちらの場合においても、操作力の軽減機能を果たすならば、突起２１の形状は半球状に限定するものではない。
【００１７】
次に、本発明の動作について図１および図３を参照して詳細に説明する。
【００１８】
アームプレート２は、正規キー５を差込み回転させるによりその回転に連動して回転動作する。開閉扉１１を閉めていくと、パッキン１３が押し潰され始めることにより、反力１４が発生する。この状態より上述した順序で正規キー５の回転操作を行うと、アームプレート２はその回転動作により筐体１０に設けられたロックプレート１５に設けた勾配にガイドされスライドする。これによりロックプレート１５を介して開閉扉１１が閉まる方向へ力が発生する。ここでアームプレート２には、開閉扉１１が閉まる方向への力と逆方向へ反力１４が発生するが、アームプレート２が外力受け部位２０へ接触することによりその反力１４は相殺される。したがってアームプレート２に反力１４が作用している状態においても、アームプレート２は無負荷時と同様の状態の位置に保たれ、シリンダ錠１内部に外力は伝達されることはない。
【００１９】
次に、本発明の他の実施形態について図面を参照して詳細に説明する。
【００２０】
図４を参照すると、操作力軽減のためのアームプレート２上への突起の代わりにロックプレート１５および、外力受け部位２０にコロ状の回転物４０ａ，４０ｂが設けられている。この回転物４０ａおよび４０ｂは、それぞれロックプレート１５および外力受け部位２０に穿設された孔からわずかに一部を露出する形で回転可能に軸支されている。この露出量は、回転扉１１を閉めたときに両回転物４０ａおよび４０ｂの間に、
ロックプレート１５にガイドされてスライドしてきたアームプレートの動きを妨げず、これとわずかに接して回転するくらいの間隔を形成する程度であればよい。
【００２１】
これにより、アームプレート２の回転動作時の反力１４による抵抗を、回転物４０の回転により軽減することができる。また、その回転物４０をアームプレート２のスライド方向に沿って複数個配置することで、さらに効果の度合いを大きくすることができる。
【００２２】
【発明の効果】
以上説明してきたように、本発明の回転軸ずれ防止施錠構造においては、パッキン等による反力がかかる開閉扉の締め付けにおいても、その反力がシリンダ錠内部に伝達することを防ぐための反力受け止め構造を備えることにより、市販のシリンダ錠を用いて筐体の開閉扉の締め付けおよび施錠を同時に行うことができるという効果を奏する。
【００２３】
また、シリンダ錠のアームプレートにかかる反力によるロックプレートおよび外力受け部位との間の接触摩擦抵抗を軽減するための構造を設けたことにより、シリンダ錠にパッキン等の反力が作用している状態における操作でも、その操作性を損なうことなくスムーズにキーの回転操作が行うことができるという効果を奏する。
【図面の簡単な説明】
【図１】本発明の回転軸ずれ防止施錠構造の第１の実施形態を示す概略図であり、（ａ）は斜視図、（ｂ）は（ａ）のＡ−Ａ断面図、（ｃ）は（ｂ）を部分的に拡大した三面図である。
【図２】本発明の第一実施形態におけるシリンダ錠の構成概略を示す分解斜視図である。
【図３】本発明の第一実施形態におけるシリンダ錠の動作を説明するための図であり、（ａ）は外観斜視図、（ｂ）は正面図及び平面図である。
【図４】本発明の他の実施形態の概略図である。
【図５】従来の施錠構造の一例を示す概略図である。
【符号の説明】
１    シリンダ錠
２    アームプレート
３    ハウジング
４    ロータ
５    正規キー
６    シリンダ錠取付用ナット
７    アームプレート取付用ネジ
１０    屋外設置型筐体
１１    開閉扉
１２    蝶番
１３    パッキン
１４    反力
１５    ロックプレート
２０    外力受け部位
２１    突起
３０    正規キー回転軸
３１    回転軸ずれ
４０    回転物
【図１】
2004211434.tif 000003
【図２】
2004211434.tif 000004
【図３】
2004211434.tif 000005
【図４】
2004211434.tif 000006
【図５】
2004211434.tif 000007